(57)【要約】【課題】ホログラムを用いた情報の記録または再生に適した記録方法及び再生方法を提供すること。【解決手段】記録する一連の情報１０３を情報光が担持可能な容量の複数のページデータ１０４ａ〜ｘに分割し、各ページデータに対応する干渉縞が記録媒体１０１において記録される位置を特定できる配列変換情報を取得し、配列変換情報を記録媒体に担持させる。【選択図】図４【特許請求の範囲】
【請求項１】
干渉縞を記録するホログラム記録層を有する記録媒体に、情報を担持した情報光と参照光とによって形成された干渉縞を記録する方法であって、
記録する一連の情報を前記情報光が担持可能な容量の複数のページデータに分割し、
前記各ページデータに対応する干渉縞が記録媒体において記録される位置を特定できる配列変換情報を取得し、
前記配列変換情報を前記記録媒体に担持させることを特徴とする記録方法。
【請求項２】
前記配列変換情報は、前記ページデータの配列と前記記録媒体における干渉縞の配置の対応であることを特徴とする請求項１に記載の記録方法。
【請求項３】
前記配列変換情報は、前記ページデータの配列から、前記記録媒体における干渉縞の配置を算出する変換方式であることを特徴とする請求項１に記載の記録方法。
【請求項４】
前記配列変換情報が前記記録媒体のカートリッジに設置されたメモリに記録されていることを特徴とする請求項１乃至３の何れか１項に記載の記録方法。
【請求項５】
情報を担持した情報光と参照光とによって形成された干渉縞が記録されたホログラム記録層を有する記録媒体から情報を再生する方法であって、
前記記録媒体には、一連の情報が、情報光に担持可能な容量のページデータに分割されて複数の干渉縞として記録されており、
前記複数の干渉縞を記録した時の順番とは異なる順番で再生することを特徴とする再生方法。
【請求項６】
前記複数の干渉縞から再生されたページデータを配列変換情報によって変換して一連の情報を得ることを特徴とする請求項５に記載の再生方法。
【請求項７】
前記配列変換情報が前記記録媒体に担持されていることを特徴とする請求項６に記載の再生方法。
【発明の詳細な説明】
【技術分野】
【０００１】
本発明は、情報を担持した情報光と参照光とによって形成された干渉縞を記録媒体のホログラム記録層に記録する方法及びホログラム記録層に記録された干渉縞を再生する方法に関する。
【背景技術】
【０００２】
従来の光ディスク記録装置やハードディスク記録装置は、ディスク上のピット（光学的な凸か凹）や磁区（磁化の方向）をビット（デジタル情報の０と１）として、記録するデジタル情報を直接的に連続して記録する方式であった。光ディスクやハードディスクにおいては、同心円状または螺旋状のトラックと、トラックを円の中心から放射状に分割するセクタ（最小記録単位）が形成されている。【０００３】
そして、記録するデジタル情報は、５１２バイトや２０４８バイトからなるセクタの記録単位に分割され、分割された情報をディスクのセクタに記録していく。この時、一連の記録するデジタル情報は、ディフェクト（欠損）やエラー処理などの例外を除いて、基本的に記録媒体のトラックに沿ったセクタの順序通りに記録が行われる。これは、上に述べたように、従来の光ディスク記録装置やハードディスク記録装置が連続して記録する方式であるため、一連のデジタル情報を記録するのに最も効率がよいからである。【０００４】
これに対し、ホログラム記録装置は、格子状に配列された多数の画素を有する空間光変調器（ＳＬＭと略すこともある）に２次元のピクセルからなる符号化された画像（以下「ページデータ」と呼ぶ）を表示して、ページデータによって空間的に変調された情報光を生成し、この情報光と記録用参照光とによって形成される干渉縞を記録媒体のホログラム記録層に記録するものである。そして、記録媒体に記録された干渉縞は、再生用参照光と干渉してページデータを有する再生光を発生し、発生した再生光のページデータは、格子状に配列された多数の画素を有する撮像素子によって検出され、復号されて情報が再生される。このように、ホログラム記録装置においては、記録媒体に記録される記録単位は干渉縞であり、干渉縞を記録及び再生すれば、ページデータとして符号化された複数のビット数の情報を一度に記録及び再生できるのである。【０００５】
特許文献１には、ホログラム記録装置において、ディスク状の記録媒体に複数の干渉縞を配置させる方法として、図１１（Ａ）乃至（Ｄ）に示すような配置の方法が記載されている（特許文献１の段落０１９３乃至０１９７及び図６８乃至７１参照）。図１１（Ａ）では、複数の干渉縞３１３は、１つのトラック内において隣接させて配置されている。図１１（Ｂ）では、複数の干渉縞３１３は、記録媒体の半径方向３３１およびトラック方向３３２に２次元的に隣接させ配置されている。図１１（Ｃ）では、複数の干渉縞３１３は、矢印３３４の順番に、互いに水平方向に少しずつずれ、且つ一部が重なるように配置されている。図１１（Ｄ）では、複数の干渉縞３１３は、記録媒体のトラック方向３３２については、互いに重なることなく配置され、記録媒体の半径方向３３１については、互いに水平方向に少しずつずれ、且つ一部が重なるように配置されている。【０００６】
【特許文献１】特開平１１−３１１９３８号公報
【非特許文献１】堀米秀嘉、他４名「離陸間近のホログラフィック媒体２００６年に２００Ｇバイトを実現」、日経エレクトロニクス、２００５年１月１７日号、ｐ．１０５−１１４頁
【発明の開示】
【発明が解決しようとする課題】
【０００７】
ホログラム記録装置において、ページデータを表示する空間光変調器や格子状に配列された多数の画素を有する撮像素子は、現在開発されている高速素子と謳われているものでも数千ｆｐｓ（１秒間に数千ページ）の処理速度が限界である。【０００８】
他方、ホログラム記録装置においては、複数の干渉縞の一部を重畳させて多重記録することが可能であるが、干渉縞の位置選択性が高く干渉縞の中心を３μｍ程度ずらせば、別の干渉縞を記録することが可能である（非特許文献１図８）。ディスク状の記録媒体の円周方向にトラックに沿って複数の干渉縞を記録または再生していく場合、例えば干渉縞の間隔を１０μｍ、トラックの位置を半径４５ｍｍとして計算すると、一周で２８３７４個（２×π×４５ｍｍ（トラックの長さ）÷（１０×１０-3ｍｍ）（干渉縞の間隔））の干渉縞を記録または再生することができる。【０００９】
もしも、従来の光ディスクやハードディスクと同様に、複数の干渉縞を連続して順番に記録または再生していくとすれば、例えば空間光変調器や撮像素子の処理速度を５０００ｆｐｓとすると、２８３７４個の干渉縞を記録または再生するのに約５．７秒（２８３７４（干渉縞の数）÷５０００ｆｐｓ（処理速度））必要である。従って、ディスク状の記録媒体の回転速度としては、１０〜１１ｒｐｍ程度（６０（秒）÷５．７（秒））と非常に低速なものとなってしまう。【００１０】
現在の光ディスク記録装置は数百ｒｐｍから数千ｒｐｍの回転数が主流であり、ディスクの記録再生を１０ｒｐｍのような極めて遅い回転数で行なうことは、ランダムアクセスする際の回転待ち時間が長くなり（レイテンシー）、また機構上の回転安定性の点から不利である。【００１１】
このため、同一トラックに、一定の間隔を空けて干渉縞を記録していく方法が提案されている（非特許文献１）。この記録方法を図１及び図２を用いて説明する。図１は、ディスク状の記録媒体１０１の概略平面図である。記録媒体１０１は、全面に高密度で干渉縞が記録されるが、説明の都合上、図１においては、同一トラック１０２上の領域に干渉縞が記録されることとして説明する。円形の記録領域には、図中の１、５、１５、２０及び２４で示すように、記録媒体のアドレス（以下「媒体アドレス」という）が振られており、上方の媒体アドレス１の記録領域から時計回りに媒体アドレス２４の領域まで配置されている。【００１２】
図２（Ａ）は記録する情報の配列を示し、（Ｂ）は記録時の動作を示し、（Ｃ）は記録された干渉縞の配列を示す。なお、図２（Ａ）の横軸は論理アドレスであり、図２（Ｂ）及び（Ｃ）の横軸は媒体アドレスである。図２（Ａ）に示すように、記録する一連の情報１０３は、情報光によって担持されるページデータＡ〜Ｘに分割されており、その配列はページデータＡから順にページデータＸまで並んでいる。空間光変調器の処理速度、記録媒体の回転速度等から記録条件が設定される。図２（Ｂ）においては、干渉縞の間隔が媒体アドレス３つ分となるように記録することとする。【００１３】
まず、１周目（図２（Ｂ）の１行目）は、媒体アドレス１の記録領域にページデータＡの干渉縞を記録し、４つ先の媒体アドレス５の記録領域にページデータＢの干渉縞を記録し、媒体アドレス９の記録領域にページデータＣの干渉縞、媒体アドレス１３の記録領域にページデータＤの干渉縞、媒体アドレス１７の記録領域にページデータＥの干渉縞、媒体アドレス２１の記録領域にページデータＦの干渉縞を順次記録する。【００１４】
次に、２周目（図２（Ｂ）の２行目）は、媒体アドレス１に隣接する媒体アドレス２の記録領域にページデータＧの干渉縞を記録し、媒体アドレス２を基準として４つおきに、ページデータＨ，Ｉ，Ｊ，Ｋ，Ｌをそれぞれ媒体アドレス６，１０，１４，１８，２２の記録領域に順次記録する。３周目（図２（Ｂ）の３行目）、４周目（図２（Ｂ）の４行目）についても同様に記録して、図２（Ｃ）に示すように、記録媒体１０１には各ページデータＡ〜Ｘに対応する干渉縞が記録される。図１（Ｂ）は、記録領域中に、記録された干渉縞に対応するページデータＡ〜Ｘを記載したものである。【００１５】
この方法によれば、記録媒体を高速で回転させても、記録媒体の回転速度、空間光変調器または撮像素子の処理速度、記録媒体における記録位置等から１周で記録または再生できる干渉縞の数を計算し、１周で記録または再生する干渉縞の間隔を調整することによって対応できる。【００１６】
例えば、１０００ｒｐｍの回転速度の場合、１周する時間は０．０６秒であるから、１周で記録または再生できる干渉縞は３００個（０．０６（秒）×５０００ｆｐｓ（処理速度））である。よって、干渉縞の間隔を０．９４ｍｍ（２×π×４５ｍｍ（トラックの長さ）÷３００個）以上とすればよい。【００１７】
従来の光ディスク装置やハードディスク装置は、データを光ピックアップや磁気抵抗素子により連続的に電気信号に変換して記録再生を行う方式である。従って、基本的に記録または再生する情報の順番に従って、連続して情報を記録または再生しており、記録媒体の回転速度や装置の性能が変わっても、記録または再生する情報の順番が変わることはなかった。【００１８】
しかしながら、ホログラム記録再生装置の場合、ひとまとまりのデータからページデータ（２次元画像データ）を構成し、そのページデータを情報光に担持させて干渉縞をディスクの決められた位置に形成する方式であるので、干渉縞の配列をディスク上に連続して配置させる必要がなく、ディスク上に離散的に配列させることが可能であった。この場合、ひとまとまりのデータに対応する複数の干渉縞には一定の間隔が形成される。この離散的な配列における干渉縞の間隔は、記録媒体の回転速度、空間光変調器または撮像素子の処理速度、記録媒体における配置等から設定される。従って、記録媒体における干渉縞の配列は、記録の仕方によって変化する。一般的に、記録媒体の回転速度が速いまたは処理速度が遅い場合は間隔が長くなり、記録媒体の回転速度が遅いまたは処理速度が速い場合は間隔が短くなる。【００１９】
図３（Ａ）は、図２（Ａ）の一連の情報１０３について干渉縞の間隔を媒体アドレス５つ分として記録した場合であり、図３（Ｂ）は、干渉縞の間隔を媒体アドレス２つ分として記録した場合である。【００２０】
このように、ホログラム記録再生装置の場合、情報を記録した場合の干渉縞の配列が記録条件によって異なってしまい再生時には、記録条件に従った配列で再生する必要が生ずる。更に、空間光変調器の処理速度と撮像素子の処理速度の違いによる記録時と再生時の条件の違いも存在する。【００２１】
本発明は、以上のようなホログラムを用いた情報の記録または再生に適した記録方法及び再生方法を提供することを目的とする。
【課題を解決するための手段】
【００２２】
本発明の記録方法は、干渉縞を記録するホログラム記録層を有する記録媒体に、情報を担持した情報光と参照光とによって形成された干渉縞を記録する方法であって、記録する一連の情報を前記情報光が担持可能な容量の複数のページデータに分割し、前記各ページデータに対応する干渉縞が記録媒体において記録される位置を特定できる配列変換情報を取得し、前記配列変換情報を前記記録媒体に担持させることを特徴とする。【００２３】
更に、上記記録方法において、前記配列変換情報は、前記ページデータの配列と前記記録媒体における干渉縞の配置の対応であっても、前記ページデータの配列から、前記記録媒体における干渉縞の配置を算出する変換方式であってもよい。【００２４】
更に、上記記録方法において、前記配列変換情報が前記記録媒体のカートリッジに設置されたメモリに記録されていてもよい。【００２５】
また、本発明の再生方法は、情報を担持した情報光と参照光とによって形成された干渉縞が記録されたホログラム記録層を有する記録媒体から情報を再生する方法であって、前記記録媒体には、一連の情報が、情報光に担持可能な容量のページデータに分割されて複数の干渉縞として記録されており、前記複数の干渉縞を記録した時の順番とは異なる順番で再生することを特徴とする。【００２６】
更に、上記再生方法において、前記複数の干渉縞から再生されたページデータを配列変換情報によって変換して一連の情報を得ることが好ましい。【００２７】
更に、上記再生方法において、前記配列変換情報が前記記録媒体に担持されていることが好ましい。
【発明の効果】
【００２８】
本発明の記録方法によれば、各ページデータに対応する干渉縞が記録媒体において記録される位置を特定できる配列変換情報が記録媒体に担持されているので、能力及び回転速度が異なる記録再生装置間においても、記録再生することができるので汎用性が広がる。【００２９】
本発明の再生方法によれば、複数の干渉縞を記録した時の順番とは異なる順番で再生するので、能力及び回転速度が異なる記録装置において記録された記録媒体からも効率的に再生することができる。
【図面の簡単な説明】
【００３０】
【図１】ディスク状の記録媒体の概略平面図
【図２】（Ａ）は記録する情報の配列、（Ｂ）は記録時の動作、（Ｃ）は記録された干渉縞の配列を示す図
【図３】（Ａ）及び（Ｂ）は記録された干渉縞の配列を示す図
【図４】本発明の記録時におけるアドレスフォーマットの一例を示す図
【図５】配列変換情報の一例を示す図
【図６】リアサイン・テーブルの一例を示す図
【図７】記録媒体の概略断面図
【図８】記録媒体の概略図
【図９】再生時の動作を説明する図
【図１０】再生時の配列変換動作を説明する図
【図１１】記録媒体における複数の干渉縞の配置方法を示す図
【発明を実施するための最良の形態】
【００３１】
以下、本発明の実施の形態を説明する。本発明では、記録する一連の情報を情報光が担持可能な容量の複数のページデータに分割し、各ページデータに対応する干渉縞が記録媒体において記録される位置を特定できる配列変換情報を取得し、配列変換情報を記録媒体に担持させる。【００３２】
図４に本発明の記録時におけるアドレスフォーマットの一例を示す。図４（Ａ）は、記録する一連の情報１０３（Ａ〜Ｘ）の論理アドレスを示す。図４（Ａ）において、一連の情報１０３は、情報光が担持可能な容量の複数のページデータ１０４ａ〜ｘに分割されている。【００３３】
図４（Ｂ）は、各ページデータ１０４ａ〜ｘについて、対応する干渉縞が記録される記録媒体１０１における媒体アドレスを算出し、媒体アドレスの順番に並び替えた配列変換アドレスである。【００３４】
図４（Ｃ）は、記録媒体１０１に記録された干渉縞の媒体アドレスである。なお、図４（Ｃ）においては、記録媒体１０１の媒体アドレス１７及び１８において、エラー１０５が発生したので、媒体アドレス１７及び１８に記録するはずであったページデータＥ及びＫの干渉縞については、別の領域の媒体アドレス３１，３２に記録されている（リアサイン処理）。【００３５】
配列変換情報とは、各ページデータＡ〜Ｘに対応する干渉縞が記録媒体１０１において記録される位置を特定できる情報であり、ページデータＡ〜Ｘの配列と配列変換アドレスの配列の対応関係を示したテーブルでもよいし、論理アドレスから、記録媒体における干渉縞の配置を算出する変換方式でもよい。図５（Ａ）は、ページデータＡ〜Ｘの配列と配列変換アドレスの配列の対応関係を示したテーブルの一例である。変換方式としては、例えば、記録領域、記録を開始する媒体アドレス、少なくとも一連の情報に対応する複数の干渉縞の記録時における干渉縞の間隔が特定できれば、記録領域内において、記録を開始する媒体アドレスから記録時における干渉縞の間隔毎に各ページデータＡ〜Ｘに対応する干渉縞が記録されているはずであるから、配列変換アドレスに変換できる。【００３６】
更に、配列の変換方式は、ディスク内周から外周で全て同じ間隔でも良いし、ディスクの半径位置に従って可変にしても構わない。図５（Ｂ）は、媒体アドレスのトラック情報と干渉縞の間隔の対応関係を示したテーブルの一例であり、図５（Ｃ）は、複数のトラックで構成されるゾーンと干渉縞の間隔の対応関係を示したテーブルの一例である。なお、媒体アドレスと干渉縞の間隔の対応関係を示したテーブルでもよい。また、配列の変換方式は、規則的であることが好ましいが、不規則であってもよい。例えば、一連の情報に対応する複数の干渉縞を記録する際に、記録領域における記録可能な媒体アドレスの配置や記録容量等から、配列の変換方式を途中で変更してもよいし、一部分だけ不規則な媒体アドレスを指定してもよい。【００３７】
なお、記録時又は再生時において、図４（Ｂ）の配列変換アドレスに並び替えることは必須ではない。変換方式を配列変換情報として記録する場合には、配列変換アドレスに並び替えなくてもよい。この場合、例えば、記録時には、配列変換アドレスに並び替えずに、記録領域において、記録を開始する媒体アドレスから順に所定の間隔を空けて記録していけばよく、配列変換情報としては、記録領域、記録を開始する媒体アドレス及び所定の間隔を記録すればよい。【００３８】
更に、配列変換情報を記録媒体に担持させる方法として、情報光と記録用参照光との干渉縞によって、ホログラム記録層に記録してもよいし、媒体アドレス情報等が記録されている制御情報層（後述する）に記録してもよいし、記録媒体のカートリッジ（後述する）に設置されたメモリに記録してもよい。【００３９】
リアサイン処理による媒体アドレスの変更は、配列変換情報に含めてもよいし、配列変換情報とは別にリアサイン・テーブルという対応情報を記録してもよい。図６（Ａ）及び（Ｂ）は、リアサイン・テーブルの一例であり、図６（Ａ）では、エラーした媒体アドレスとリアサインした媒体アドレスの対応関係を記録しており、図６（Ｂ）では、エラーした媒体アドレスに記録されるはずであった論理アドレスとリアサインした媒体アドレスの対応関係を記録している。【００４０】
ページデータＡ〜Ｘに対応する干渉縞は、ページデータＡ〜Ｘによって空間的に変調された情報光と記録用参照光とを記録媒体１０１のホログラム記録層に照射して、ホログラム記録層において情報光と記録用参照光とを干渉させることで記録する。【００４１】
記録媒体１０１としては、ホログラム記録層を備えており、媒体アドレスを特定する情報が記録された制御情報層を備えていることが好ましい。記録媒体１０１はディスク状に限定されるものではなく、その他の形状、例えば矩形のカード状であってもよい。【００４２】
図７に記録媒体１０１の概略断面図を示す。図７（Ａ）において、記録媒体１０１は、基板１１１と、反射層１１２と、第一のギャップ層１１４、波長選択反射層１１５、第二のギャップ層１１６、ホログラム記録層１１７及び保護層１１８を有している。【００４３】
ホログラム記録層１１７は、情報光と記録用参照光との干渉縞を記録するものであり、特に好ましくは、干渉縞を記録または再生する光１１９（記録再生用光）には感光し、制御情報を再生するための制御用光１２０には感光しない材料が好ましい。ホログラム記録層１１７としては、例えば、フォトポリマー系材料を使用することができる。ホログラム記録層１１７の材料として、緑及び青色光に感度を有するフォトポリマー系材料を使用した場合であれば、記録再生用光１１９として緑又は青色光を使用し、制御用光１２０としてそれ以外の波長の光、例えば赤色光を使用すればよい。なお、本発明において、ホログラム記録層１１７はフォトポリマー系材料に限定されるものではない。【００４４】
制御情報層は、制御用光１２０によって再生される制御情報が記録されている。制御情報層としては、予め情報が記録された再生専用でも情報の記録及び再生が可能なものでもよい。制御情報としては、媒体アドレス情報、記録再生用光のサーボ用のアドレス情報、記録媒体の容量や構造などを示す記録媒体の識別情報等が例示される。【００４５】
図７（Ａ）は、基板１１１表面に凹凸形状を形成し、凹凸表面に反射層１１２を形成して反射型の制御情報層を構成したホログラム記録媒体１０１の概略断面図である。図７（Ｂ）は、基板１１１上に金属層１１３を形成し、フォトリソグラフィー技術によってエッチングしてホール１１３ａを形成して制御情報層を構成したホログラム記録媒体１０１の概略断面図である。図２（Ｂ）の金属層１１３とホール１１３ａで構成された制御情報層は、反射型の制御情報層としても透過型の制御情報層としても利用できる。図２（Ｃ）は、基板１１１表面に凹凸形状を形成して透過型の制御情報層を構成したホログラム記録媒体１０１の概略断面図である。図２（Ｃ）においては、基板１１１の表面が制御情報層として機能している。【００４６】
図７（Ａ）乃至（Ｃ）は、再生専用の制御情報層として予めピットを形成した層を使用した場合の記録媒体１０１の概略断面図である。記録再生可能な制御情報層としては、有機色素層や相変化層などを利用することができる。制御情報層が有機色素層の場合は、一度だけ情報を記録することが可能であり、レーザー光によって色素を分解することでピットを形成することができる。形成されたピットは、再生専用層と同様にピットの反射率又は透過率の変化によって情報を再生できる。【００４７】
制御情報層が相変化層の場合は、情報の書き換えが可能であり、レーザー光による加熱によって相変化層の結晶構造を変更させて、結晶部分と非結晶部分を形成することで、結晶部分と非結晶部分の反射率又は透過率の違いによって情報を記録することができる。【００４８】
制御情報層に、配列変換情報を記録する場合、予め配列変換情報が決定している場合は、ピットとして再生専用の制御情報層に記録することができるが、決定されていない場合は記録再生可能な制御情報層を採用し、そこに記録する。なお、制御情報層として、再生専用の制御情報層と記録再生可能な制御情報層を併用してもよい。例えば、基板１１１表面に凹凸形状を形成し、凹凸表面に有機色素層や相変化層などを形成すればよい。この場合は、予め決定している制御情報や配列変換情報の一部については、ピットによって再生専用の制御情報層として記録しておき、記録時に生じる情報や配列変換情報については、有機色素層や相変化層に記録することができる。【００４９】
基板１１１としては、ポリカーボネイト等のプラスチック基板、ガラス基板、金属基板等を使用することができる。プラスチック基板を使用すると、プレス加工によって表面に凹凸形状を形成することで、制御情報層としてピットを容易に成型できる。また、ガラス基板は、強度及び平滑性が高く、基板の撓みなどによる傾きの影響を少なくすることができる。金属基板は、制御用光１２０の光に対する反射層を兼用することができる。基板１１１の形状は、ディスク状であっても、カード状であってもよい。【００５０】
また、基板１１１の厚さとしては、特に限定されるものではないが、記録媒体１０１全体として、１．２〜２．４ｍｍとなるようにすると、現在使用されているＣＤ（Compact Disc）やＤＶＤ（Digital Versatile Disc）と互換性を持たせることが可能となる。【００５１】
波長選択反射層１１５は、記録再生用光１１９を反射し、制御用光１２０を透過するものである。波長選択反射層１１５としては、高屈折率物質と低屈折率物質を交互に積層させたダイクロイックミラー層やコレステリック液晶層を用いることができる。波長選択反射層１１５における記録再生用光１１９に対する反射面は、情報を安定して記録、再生できるように、平坦であることが好ましい。【００５２】
第一のギャップ層１１４及び第二のギャップ層１１６は、樹脂材料、例えばＵＶレジン等の材料をスピンコート等によって塗布したり、ポリカーボネイトシート等の樹脂シートを貼り付けたりして形成される。ギャップ層は、ホログラム記録層１１７や制御情報層を保護すると共に、ホログラム記録層１１７内に生成されるホログラムの大きさや記録再生用光１１９や制御用光１２０の焦点距離間の間隔などを調整するためにも有効である。また、第二のギャップ層１１６は、ホログラム記録層１１７中に干渉縞が集中する焦点近傍の部分を位置しないようにできるので、干渉縞が集中する焦点近傍の部分によってホログラム記録層１１７の感光材料が大量に消費され多重度（同一箇所においてホログラムを多重記録できる量）が減少する現象を緩和することができる。第二のギャップ層１１６の厚みとしては、１０〜１００μｍの範囲とすることが好ましい。【００５３】
保護層１１８は、記録媒体１０１の入射面側の表面に形成されており、記録媒体１０１を保護している。保護層１１８としては、樹脂材料、例えばＵＶレジン等の材料をホログラム記録層１１７上にスピンコート等によって塗布したり、ポリカーボネイトシート等の樹脂シートを貼り付けたりして形成される。【００５４】
図８は、記録媒体１０１の他の一例を示す概略図である。図８において、記録媒体１０１は、ディスク１２１を収容するカートリッジ１２２を有し、カートリッジ１２２にはメモリ１２３が設置されている。ディスク１２１は、例えば図７のような構造であり、ホログラム記録層１１７を有している。カートリッジ１２２は、ホログラム記録層１１７が感光する波長の光を遮光して、ディスク１２１が感光性の光によって感光されるのを防止できることが好ましい。この場合、図８に示すようにスライド式のシャッター１２４を設けて、記録再生装置内においてシャッター１２４を開いて記録再生を行うようにしてもよい。メモリ１２３は、ＥＰＲＯＭ等の不揮発性メモリが好ましく、配列変換情報や記録媒体の制御情報の一部が記録されている。【００５５】
また、図１（Ｂ）のように複数の干渉縞が記録された記録媒体１０１を再生する方法として、まず配列変換情報を再生し、配列変換情報に基づいて一連の情報１０３の論理アドレスの順序で再生する方法がある。つまり、まず媒体アドレス１の干渉縞（ページデータＡ）を再生し、次に媒体アドレス５の干渉縞（ページデータＢ）を再生し、更に媒体アドレス９の干渉縞（ページデータＣ）を再生していく方法である。【００５６】
更に、図１（Ｂ）のように複数の干渉縞が記録された記録媒体１０１を再生する方法として、複数の干渉縞を記録した時の順番とは異なる順番で再生することができる。図１（Ｂ）の複数の干渉縞の配列は、記録装置の性能によって制限されているが、記録装置の性能は再生装置の性能と必ずしも一致していない。このため、記録時と同じ条件で再生することになると、記録装置の性能と再生装置の性能との差によっていずれかの処理に無駄が生じる。よって、再生装置の性能に合わせて記録時と異なる順番で再生することは、記録装置の性能との差に制限されず、再生装置本来の性能を引き出すことができるので好ましい。【００５７】
図９は、図１（Ｂ）の複数の干渉縞が記録された記録媒体１０１について再生する様子を示したものであり、図９（Ａ）は、１周目の再生動作であり、図９（Ｂ）は、２周目及び３周目の再生動作である。図９において、再生の順番を１’〜２４’で示した。図９（Ａ）及び（Ｂ）に示すように、再生時においては、回転速度又は光検出器の処理能力によって、処理できる干渉縞の間隔が媒体アドレス２つ分となっている。このため、媒体アド
レス１の干渉縞（ページデータＡ）を再生した次は媒体アドレス４の干渉縞（ページデータＳ）を再生し、次は媒体アドレス７の干渉縞（ページデータＮ）を再生していく。【００５８】
このように順次再生していくと、図１０（Ａ）に示すようなページデータの配列が得られる。ここで、配列変換情報によって、一連の情報１０３として並び替えを行う。まず、再生動作における配列変換情報によって、各ページデータＡ〜Ｘを対応する干渉縞が記録されていた媒体アドレスの並びに変換する（図１０（Ｂ））。その後、記録時の配列変換情報によって、各ページデータＡ〜Ｘを論理アドレスの順番に並び替えて、一連の情報１
０３を得る。【００５９】
以上のとおり、一連の情報１０３の並びと実際の媒体アドレスにおける干渉縞の並びとの関係を示した配列変換情報によって、記録再生装置の能力に依存せずにホログラム記録装置の回転数の設計を行なうことが可能になる。また、能力及び回転速度が異なる記録再生装置間においても、記録再生することができるので汎用性が広がる。【００６０】
なお、本発明は、前述した実施の形態に限定されるものではなく、必要に応じて種々の変更が可能である。例えば、ディスク状の記録媒体の回転数が記録領域の半径位置に依存せず常に一定である角速度が一定のＣＡＶ（Constant Angular Velocity）方式の装置、ディスク回転数が記録領域の半径位置に比例して変化する線速度を一定としたＣＬＶ（Constant Linear Velocity）方式の装置又は両者を併せたＺＣＡＶ（Zone Constant Angular Velocity）方式やＺＣＬＶ（Zone Constant Linear Velocity）方式の装置のいずれの方式においても利用することができる。【００６１】
上記実施の形態においては、主にディスク状の記録媒体を回転させながら記録又は再生する方法について説明したが、カード状の記録媒体のように直線状のデータアクセス方式を採る記録再生装置における記録又は再生方法においても、回転速度をピックアップの相対的な移動速度と読み替えることで同様に実現可能である。また、干渉縞の配列等の記録様式が異なる種々の記録装置のいずれかでカード状の記録媒体に情報が記録されても、本発明の記録方法及び再生方法では、記録媒体に担持された配列変換情報によってカード状の記録媒体から情報を再生することができ、汎用性を高めることができる。
【図１】
2006123733.tif 000002
【図２】
2006123733.tif 000003
【図３】
2006123733.tif 000004
【図４】
2006123733.tif 000005
【図５】
2006123733.tif 000006
【図６】
2006123733.tif 000007
【図７】
2006123733.tif 000008
【図８】
2006123733.tif 000009
【図９】
2006123733.tif 000010
【図１０】
2006123733.tif 000011
【図１１】
2006123733.tif 000012
【国際調査報告】
2006123733.tif 000013
2006123733.tif 000014